(57)【要約】【課題】何れの位置においても容易に折り曲げることが可能な形状保持ホースを提供する。【解決手段】形状保持ホース(100)は、ホース本体(110)と、ホース本体(110)の一端に取り付けられた接続部材(120)と、ホース本体(110)の内部に収容され、非可逆的に変形し、変形後の形状を保持することが可能な線状の形状保持部材(130)と、からなる。接続部材(120)はホース本体(110)の延長線上においてホース本体(110)の内径よりも小さい内径を有する先端部(121)を有しており、形状保持部材(130)の一端には、先端部(121)の内部開口を通過することができない形状を有する脱落防止部(131)が形成されている。【選択図】図１
0003179404.tif 000002
【実用新案登録請求の範囲】
【請求項１】
ホース本体と、
前記ホース本体の少なくとも何れか一端に取り付けられた接続部材と、
非可逆的に変形し、変形後の形状を保持することが可能な線状の形状保持部材と、
からなる形状保持ホースであって、
前記形状保持部材は、前記ホース本体に対して自由移動が可能であるように、前記ホース本体の内部に収容されている形状保持ホース。
【請求項２】
前記接続部材は前記ホース本体の延長線上において前記ホース本体の内径よりも小さい内径を有する先端部を有しており、
前記形状保持部材には、前記先端部の内部開口を通過することができない形状を有する脱落防止部が形成されていることを特徴とする請求項１に記載の形状保持ホース。
【請求項３】
前記脱落防止部には、前記ホース本体の軸線方向に開口する開口部が形成されていることを特徴とする請求項２に記載の形状保持ホース。
【請求項４】
前記形状保持部材は９９重量％以上のアルミニウムを含むものであることを特徴とする請求項１乃至３の何れか一項に記載の形状保持ホース。
【考案の詳細な説明】
【技術分野】
【０００１】
本考案は、任意の形状に変形させ、変形後の形状を保持することが可能な形状保持ホースに関する。
【背景技術】
【０００２】
このような形状保持ホースの一例として、実用新案登録第３０８４８９４号公報に記載されたものがある。
【０００３】
図４は同公報に記載された形状保持ホースの縦断面図、図５は折り曲げた後の形状保持ホースの縦断面図である。
【０００４】
この形状保持ホース１０は、ホース本体１２と、ホース本体１２の両端に固定されている接続部材１４と、ホース本体１２の内部空間１６に収容されている線状の形状保持部材１８と、から構成されている。
【０００５】
形状保持部材１８は非可逆的に変形可能な素材でつくられており、その一端はホース本体１２の内部空間１６において何れか一方の接続部材１４（図４においては、右側の接続部材１４）に固定されている。
【０００６】
形状保持部材１８は、力を加えると、その力に応じて変形し、力を除去した後においても、変形した状態を維持する。このため、例えば、図５に示すように、形状保持ホース１０をＵ字型に曲げた後、力を除去すると、ホース本体１２は元の形状（図４に示す形状）に戻ろうとするが、形状保持部材１８がＵ字型に変形したままの状態を維持するため、形状保持ホース１０は全体としてＵ字型の形状を保持したままの状態となる。
【考案の開示】
【考案が解決しようとする課題】
【０００７】
図４及び図５に示した形状保持ホース１０においては、形状保持部材１８が一方の接続部材１４に固定されている。このため、形状保持ホース１０は、この接続部材１４の近傍においては、ホース本体１２を折り曲げることが極めて困難であるという問題点を有していた。
【０００８】
本考案はこのような従来の形状保持ホースにおける問題点に鑑みてなされたものであり、どの位置においても、容易に変形させることが可能な形状保持ホースを提供することを目的とする。
【課題を解決するための手段】
【０００９】
上記の目的を達成するため、本考案は、ホース本体と、前記ホース本体の少なくとも何れか一端に取り付けられた接続部材と、非可逆的に変形し、変形後の形状を保持することが可能な線状の形状保持部材と、からなる形状保持ホースであって、前記形状保持部材は、前記ホース本体に対して自由移動が可能であるように、前記ホース本体の内部に収容されている形状保持ホースを提供する。
【００１０】
前記接続部材は前記ホース本体の延長線上において前記ホース本体の内径よりも小さい内径を有する先端部を有しており、前記形状保持部材には、前記先端部の内部開口を通過することができない形状を有する脱落防止部が形成されていることが好ましい。
【００１１】
前記脱落防止部には、前記ホース本体の軸線方向に開口する開口部が形成されていることが好ましい。
【００１２】
前記形状保持部材は９９重量％以上のアルミニウムを含むものであることが好ましい。
【考案の効果】
【００１３】
本考案に係る形状保持ホースによれば、ホース本体に内蔵されている形状保持部材はホース本体には固定されていないため、図４及び図５に示した従来の形状保持ホース１０とは異なり、形状保持ホースのどの位置においても、容易に形状保持ホースを折り曲げることが可能である。
【００１４】
また、形状保持部材の脱落防止部に、先端部の内部開口を通過することができない形状を形成することにより、形状保持部材がホース本体から抜け出ることを防止することができる。
【図面の簡単な説明】
【００１５】
【図１】本考案の第一の実施形態に係る形状保持ホースの縦断面図である。
【図２】本考案の第一の実施形態に係る形状保持ホースにおける接続部材の先端部の内径と形状保持部材の脱落防止部の外径との位置関係を示す正面図である。
【図３】本考案の第二の実施形態に係る形状保持ホースにおける形状保持部材の脱落防止部の正面図である。
【図４】従来の形状保持ホースの縦断面図である。
【図５】従来の形状保持ホースを折り曲げたときの縦断面図である。
【考案を実施するための最良の形態】
【００１６】
（第一の実施形態）
図１は本考案の第一の実施形態に係る形状保持ホース１００の縦断面図である。
【００１７】
本実施形態に係る形状保持ホース１００は、ホース本体１１０と、ホース本体１１０の何れか一端に取り付けられた接続部材１２０と、ホース本体１１０の内部に収容されている形状保持部材１３０と、から構成されている。
【００１８】
ホース本体１２０の他端には、例えば、水を霧状に噴射する噴霧器１４０が取り付けられている。
【００１９】
接続部材１２０はホース本体１１０の延長線上においてホース本体１１０の内径よりも小さい内径を有する先端部１２１を有している。
【００２０】
形状保持部材１３０はアルミニウム製の線状部材からなる。アルミニウムは可撓性であるため、形状保持部材１３０は、力を加えると、その力に応じて非可逆的に変形し、力を除去した後においても、変形後の状態を維持する。
【００２１】
形状保持部材１３０はホース本体１１０よりもやや短い全長を有しており、形状保持部材１３０の全体をホース本体１１０の内部に収容することが可能である。
【００２２】
形状保持部材１３０は、その一端において、接続部材１２０の先端部１２１の内径よりも大きい外径を有する円形の脱落防止部１３１が形成されている。
【００２３】
図２は接続部材１２０の先端部１２１の内径と形状保持部材１３０の脱落防止部１３１の外径との位置関係を示す正面図である。
【００２４】
図２に示すように、脱落防止部１３１は先端部１２１よりも大きい外径を有しているため、脱落防止部１３１は先端部１２１を通過することは不可能である。
【００２５】
本実施形態に係る形状保持ホース１００によれば、ホース本体１１０に内蔵されている形状保持部材１３０はホース本体１１０には固定されていないため、図４及び図５に示した従来の形状保持ホース１０とは異なり、形状保持ホース１００のどの位置においても、容易に形状保持ホース１００を折り曲げることが可能である。
【００２６】
また、形状保持部材１３０の脱落防止部１３１は先端部１２１の内部開口を通過することができない形状を有しているため、形状保持部材１３０がホース本体１１０から抜け出ることはない。
【００２７】
本実施形態に係る形状保持ホース１００は上記の構造に限定されるものではなく、種々の改変が可能である。
【００２８】
例えば、本実施形態に係る形状保持ホース１００においては、形状保持部材１３０はアルミニウム製とされているが、アルミニウム１００％であることは必ずしも必要ではなく、９９重量％以上のアルミニウムを含むものであればよい。
【００２９】
また、本実施形態に係る形状保持ホース１００においては、形状保持部材１３０の脱落防止部１３１は円形のものとして形成されているが、脱落防止部１３１の形状としては、脱落防止部１３１が接続部材１２０の先端部１２１の内部開口を通過することができない形状である限りにおいて、任意の形状を選択することができる。
【００３０】
また、本実施形態に係る形状保持ホース１００においては、脱落防止部１３１は形状保持部材１３０の一端に形成されているが、脱落防止部１３１は形状保持部材１３０の端部のみならず、形状保持部材１３０の他の部位に形成することも可能である。
【００３１】
なお、必要に応じて、形状保持部材１３０に脱落防止部１３１を形成しないことも可能である。
【００３２】
（第二の実施形態）
図３は本考案の第二の実施形態に係る形状保持ホースにおける形状保持部材１３０の脱落防止部１３１の正面図である。
【００３３】
本実施形態においては、脱落防止部１３１には、ホース本体の軸線方向１１０に開口する開口部１３２が形成されている。具体的には、本実施形態における脱落防止部１３１は、線状の形状保持部材１３０を中心として十字状に延びるスポークと、線状の形状保持部材１３０と同心であって、各スポークと接続するリングと、から構成されている。各スポークとリングとで囲まれる領域（４個の扇形領域）が開口部１３２を構成している。
【００３４】
このように、脱落防止部１３１に開口部１３２を設けることにより、ホース本体１１０の内部における流体（例えば、水）の流れが脱落防止部１３１によって妨げることを防止することができる。
【００３５】
なお、開口部１３２の形状は扇形形状に限定されるものではなく、任意の形状を選択することが可能である。
【符号の説明】
【００３６】
１００  本考案の第一の実施形態に係る形状保持ホース
１１０  ホース本体
１２０  接続部材
１２１  先端部
１３０  形状保持部材
１３１  脱落防止部
１３２  開口部
１４０  噴霧器
【図１】
0003179404.tif 000003
【図２】
0003179404.tif 000004
【図３】
0003179404.tif 000005
【図４】
0003179404.tif 000006
【図５】
0003179404.tif 000007